(57)【要約】【課題】本発明は、ヘッドクリップ及びこれを用いた作業方法に関し、装置の組み立て、検査、修理や清掃等の保守時の作業を容易に行え、且つ、ヘッドアクチュエータへの損傷を防止することを可能とすることを目的とする。【解決手段】アクチュエータアームと、アクチュエータアームの先端に設けられたヘッドサスペンションと、ヘッドサスペンションの先端に設けられたヘッドスライダを有するヘッドアクチュエータに対して作業を行う際にヘッドアクチュエータに挿入されるヘッドクリップにおいて、櫛歯状に設けられた複数の保持部と、各保持部に設けられた凸部とを備え、各保持部が隣接するヘッドサスペンション間に第１又は第２の挿入位置まで挿入された状態で、少なくとも１つの保持部と接する一対の隣接するヘッドサスペンションのうち一方のみが一時的に変形されて隣接するヘッドサスペンション間の距離が広げられることように構成する。【選択図】図６
2008198266.tif 000002
【特許請求の範囲】
【請求項１】
複数枚の記録媒体の表裏二面に対して記録再生する磁気ヘッドを夫々の先端に備えた複数の支持部材の磁気ヘッド装着側に夫々挿入する複数の挿入部と、
前記挿入部上の少なくとも一つの挿入位置まで前記挿入部を該支持部材に挿入した場合に特定の支持部材間を広げる支持部材間拡張部とを備え、
前記支持部材間拡張部によって広がった該支持部材と、該支持部材に隣接する支持部材とが接触しないことを特徴とするヘッドクリップ。
【請求項２】
前記支持部材間拡張部は凸形状であることを特徴とする請求項１記載のヘッドクリップ。
【請求項３】
前記凸形状は、少なくとも一つの支持部材側に形成されることを特徴とする請求項２記載のヘッドクリップ。
【請求項４】
前記支持部材間拡張部の中央は平面であることを特徴とする請求項１記載のヘッドクリップ。
【請求項５】
夫々の該挿入位置において、異なる該支持部材間を広げる複数の前記支持部材間拡張部を有することを特徴とする請求項１記載のヘッドクリップ。
【発明の詳細な説明】
【技術分野】
【０００１】
本発明は、ヘッドクリップ及びこれを用いた作業方法に係り、特に磁気記録媒体及びヘッドを備えた装置の組み立て、検査、修理や清掃等の保守時の作業を行う際に用いるヘッドクリップ及びこれを用いた作業方法に関する。
【背景技術】
【０００２】
磁気記憶装置は、複数の磁気記録媒体及び情報記録再生用の複数のヘッドを備える。磁気ディスク装置では、複数の磁気ディスクが所定間隔で同軸状に設けられ、各磁気ディスクの記録面に対して１つのヘッドがヘッドアクチュエータの先端に設けられている。このような装置の組み立て、検査、修理や清掃等の保守時の作業を行う際には、ヘッドクリップが用いられ、ヘッドクリップによりヘッドアクチュエータの不用意な動きを防止した状態で作業が行われる。
【０００３】
図１は従来のヘッドクリップの一例を示す図である。図１中、（ａ）はヘッドクリップ１の正面方向から見た斜視図、（ｂ）はヘッドクリップ１の側面方向から見た斜視図である。ヘッドクリップ１は、櫛歯状の保持部２を有する。図１において、各保持部２の厚み（縦方向上の長さ）Ｄ１は一定である。
【０００４】
図２は、ヘッドアクチュエータを示す平面図である。ヘッドアクチュエータ１１は、図示を省略するボイスコイルモータ（ＶＣＭ）等の駆動部により駆動されるアクチュエータアーム１２と、アクチュエータアーム１２の先端に設けられたヘッドサスペンション１３と、ヘッドサスペンション１３の先端に設けられたヘッドスライダ１４を有する。
【０００５】
図３は、図１に示すヘッドクリップ１をヘッドアクチュエータ１１に挿入した状態を示す正面図である。ヘッドクリップ１の保持部２の厚みＤ１は、隣接するヘッドサスペンション１３間の距離と略等しいため、上記の如き作業を行う際にヘッドサスペンション１３の不用意な動きを防止できる。しかし、治具１８等を隣接するヘッドスライダ１４間に挿入してヘッドスライダ１４の清掃や顕微鏡による検査等を行う場合には、隣接するヘッドサスペンション１３間の距離が短いために、ヘッドスライダ１４等に損傷を与える可能性が高い。
【０００６】
そこで、治具１８等を隣接するヘッドスライダ１４間に挿入してヘッドスライダ１４の清掃や顕微鏡による検査等を行う際には、図４に示す如きヘッドクリップを用いる。図４中、（ａ）はヘッドクリップ２１の正面方向から見た斜視図、（ｂ）はヘッドクリップ２１の側面方向から見た斜視図である。ヘッドクリップ２１は、櫛歯状の保持部２２を有する。図４において、各保持部２２の厚み（縦方向上の長さ）Ｄ２は一定であり、この厚みＤ２は図１に示すヘッドクリップ１の保持部２の厚みＤ１より厚い。
【０００７】
図５は、図４に示すヘッドクリップ２１をヘッドアクチュエータ１１に挿入した状態を示す正面図である。ヘッドクリップ２１の保持部２２の厚みＤ２は、隣接するヘッドサスペンション１３間の距離より大きいため、隣接するヘッドサスペンション１３間の距離は保持部２２により広げられると共に、上記の如き作業を行う際にヘッドサスペンション１３の不用意な動きを防止できる。この場合、治具１８等を隣接するヘッドスライダ１４間に挿入してヘッドスライダ１４の清掃や顕微鏡による検査等を行う場合には、隣接するヘッドサスペンション１３間の距離が広げられているために、ヘッドスライダ１４等に損傷を与えることがない。
【０００８】
このように、磁気ディスク装置の組み立て、検査、修理や清掃等の保守時の作業を行う際には、従来は二種類のヘッドクリップ１，２１を用いていた。
【０００９】
尚、ヘッドの組み立て時に用いるヘッドクリップは、例えば特許文献１，２等にて提案されている。
【特許文献１】特開昭６３−１６７４８９号公報
【特許文献２】特開平３−５０２６２０号公報
【発明の開示】
【発明が解決しようとする課題】
【００１０】
図４に示すヘッドクリップ２１を用いた場合、各保持部２２と接する上側のヘッドサスペンション１３は上側へ一時的に変形され、これと同時に下側のヘッドサスペンション１３は下側に一時的に変形される。このため、図５に示すように、隣接する保持部２２により一時的に変形されたヘッドサスペンション１３が接触してヘッドスライダ１４に損傷を与える可能性があるという問題があった。又、各ヘッドサスペンション１３が保持部２２により変形されるので、特にヘッドクリップ２１が比較的長時間ヘッドアクチュエータ１１に挿入されていたり、何度もヘッドアクチュエータ１１に挿入されたりすると、固定的に変形してしまうヘッドサスペンション１３が発生する確率が高くなる分ヘッドスライダ１３の磁気ディスク（図示せず）からの浮上量が変化してしまう可能性があるという問題もあった。
【００１１】
そこで、本発明は、装置の組み立て、検査、修理や清掃等の保守時の作業を容易に行え、且つ、ヘッドアクチュエータへの損傷を防止することが可能なヘッドクリップ及びこれを用いた作業方法を提供することを目的とする。
【課題を解決するための手段】
【００１２】
上記の課題は、複数枚の記録媒体の表裏二面に対して記録再生する磁気ヘッドを夫々の先端に備えた複数の支持部材の磁気ヘッド装着側に夫々挿入する複数の挿入部と、前記挿入部上の少なくとも一つの挿入位置まで前記挿入部を該支持部材に挿入した場合に特定の支持部材間を広げる支持部材間拡張部とを備え、前記支持部材間拡張部によって広がった該支持部材と、該支持部材に隣接する支持部材とが接触しないことを特徴とするヘッドクリップによって達成できる。
【発明の効果】
【００１３】
本発明によれば、装置の組み立て、検査、修理や清掃等の保守時の作業を容易に行え、且つ、ヘッドアクチュエータへの損傷を防止することが可能なヘッドクリップ及びこれを用いた作業方法を実現することができる。
【発明を実施するための最良の形態】
【００１４】
本発明のヘッドクリップは、ヘッドアクチュエータに所定の挿入位置まで挿入された状態で、ヘッドアクチュエータの隣接するヘッドサスペンションのうち一方のみが一時的に変形されて隣接するヘッドサスペンション間の距離が広げられる構成を有する。又、ヘッドクリップのヘッドアクチュエータに対する挿入位置又は挿入距離に応じて異なるヘッドサスペンションが一時的に変形されるので、各ヘッドスライダやヘッドサスペンション等に対して装置の組み立て、検査、修理や清掃等の保守時の作業を容易に行えると共に、ヘッドアクチュエータへの損傷を防止することが可能となる。
【００１５】
更に、ヘッドクリップのヘッドアクチュエータに対する挿入位置又は挿入距離に応じて、或いは、ヘッドクリップの保持部に設けられた凸部の位置の移動に応じて、全てのヘッドサスペンションを一時的に変形させない構成とすることもできる。この場合、従来例のように、２種類のヘッドクリップを用いることなく、単一のヘッドクリップで異なる作業に対応可能となる。
【００１６】
以下に、本発明のヘッドクリップ及びこれを用いた作業方法の各実施例を、図６以降と共に説明する。
【実施例１】
【００１７】
本発明のヘッドクリップ及びこれを用いた作業方法の第１実施例を説明する。本実施例及び後述する他の実施例では、説明の便宜上本発明が磁気ディスク装置に適用される場合について説明する。
【００１８】
図６は、ヘッドクリップの第１実施例を挿入位置Ｐ１と共に示す側面方向から見た斜視図である。ヘッドクリップ５１は、櫛歯状の保持部５２を有する。図６において、各保持部５２の上面又は下面は凸部５３を有する。各凸部５３は、テーパを有する。各保持部５２の凸部５３における厚み（縦方向上の長さ）ｄ２は、他の部分における厚みｄ１より厚い。各保持部５２の凸部５３以外における厚みｄ１は、隣接するヘッドサスペンション１３間の距離と略等しい。
【００１９】
ヘッドクリップ５１に用いる材料は特に限定されないが、静電気を生じにくい材料で構成することが望ましい。又、ヘッドクリップ５１は一体形成されていても、複数の板状部材が接着された構成を有するものであっても良い。
【００２０】
図７は、図６に示すヘッドクリップ５１をヘッドアクチュエータ１１の挿入位置Ｐ１まで挿入した状態を示す平面図である。ヘッドアクチュエータ１１は、図示を省略するボイスコイルモータ（ＶＣＭ）等の駆動部により駆動されるアクチュエータアーム１２と、アクチュエータアーム１２の先端に設けられたヘッドサスペンション１３と、ヘッドサスペンション１３の先端に設けられたヘッドスライダ１４を有する。ヘッドクリップ５１をヘッドアクチュエータ１１の挿入位置Ｐ１まで矢印方向に挿入すると、図６において挿入位置Ｐ１を示す一点鎖線と図７において破線で示すヘッドアクチュエータ１１の軸方向に沿った中心線ＣＬとが交差する。
【００２１】
図８は、図６に示すヘッドクリップ５１をヘッドアクチュエータ１１の挿入位置Ｐ１まで挿入した状態を示す正面図である。各保持部５２の凸部５３以外における厚みｄ１は、隣接するヘッドサスペンション１３間の距離と略等しい。他方、各保持部５２の凸部５３における厚みｄ２は厚みｄ１より厚いので、中央部分の保持部５２の凸部５３により中央部分の一対の隣接するヘッドサスペンション１３のうち上側のヘッドサスペンション１３が上側へ広げられる。これにより、各ヘッドスライダ１４やヘッドサスペンション１３等に対して磁気ディスク装置の組み立て、検査、修理や清掃等の保守時の作業を行う際にヘッドサスペンション１３の不用意な動きを防止できる。この場合、治具１８等を中央部分の隣接するヘッドスライダ１４間に挿入してヘッドスライダ１４の清掃や顕微鏡による検査等を行う場合には、隣接するヘッドサスペンション１３間の距離が広げられているために、ヘッドスライダ１４等に損傷を与えることがない。図８に示すように、挿入位置Ｐ１では中央部分の保持部５２のみが凸部５３を有するため、一時的に変形されたヘッドサスペンション１３が隣接するヘッドサスペンション１３と接触してヘッドスライダ１４に損傷を与えることを防止できる。又、挿入位置Ｐ１では１つのヘッドサスペンション１３のみが変形されるので、ヘッドクリップ５１が比較的長時間ヘッドアクチュエータ１１に挿入されていたり、何度もヘッドアクチュエータ１１に挿入されたりしても、固定的に変形してしまうヘッドサスペンション１３が発生する確率は従来例と比較すると低くなり、ヘッドスライダ１３の磁気ディスク（図示せず）からの浮上量が変化してしまう可能性は低い。
【００２２】
図９は、ヘッドクリップの第１実施例を挿入位置Ｐ２と共に示す側面方向から見た斜視図である。
【００２３】
図１０は、図９に示すヘッドクリップ５１をヘッドアクチュエータ１１の挿入位置Ｐ２まで挿入した状態を示す平面図である。ヘッドクリップ５１をヘッドアクチュエータ１１の挿入位置Ｐ２まで矢印方向に挿入すると、図９において挿入位置Ｐ２を示す一点鎖線と図１０において破線で示すヘッドアクチュエータ１１の軸方向に沿った中心線ＣＬとが交差する。
【００２４】
図１１は、図９に示すヘッドクリップ５１をヘッドアクチュエータ１１の挿入位置Ｐ２まで挿入した状態を示す正面図である。各保持部５２の凸部５３以外における厚みｄ１は、隣接するヘッドサスペンション１３間の距離と略等しい。他方、各保持部５２の凸部５３における厚みｄ２は厚みｄ１より厚いので、上下部分の保持部５２の凸部５３により上部分の一対の隣接するヘッドサスペンション１３のうち上側のヘッドサスペンション１３が上側へ広げられる、下部分の一対の隣接するヘッドサスペンション１３のうち下側のヘッドサスペンション１３が下側へ広げられる。これにより、各ヘッドスライダ１４やヘッドサスペンション１３等に対して磁気ディスク装置の組み立て、検査、修理や清掃等の保守時の作業を行う際にヘッドサスペンション１３の不用意な動きを防止できる。この場合、治具１８等を上下部分の隣接するヘッドスライダ１４間に挿入してヘッドスライダ１４の清掃や顕微鏡による検査等を行う場合には、隣接するヘッドサスペンション１３間の距離が広げられているために、ヘッドスライダ１４等に損傷を与えることがない。図１１に示すように、挿入位置Ｐ２では上下部分の保持部５２のみが凸部５３を有するため、一時的に変形されたヘッドサスペンション１３が隣接するヘッドサスペンション１３と接触してヘッドスライダ１４に損傷を与えることを防止できる。又、挿入位置Ｐ２では離れた２つのヘッドサスペンション１３のみが変形されるので、ヘッドクリップ５１が比較的長時間ヘッドアクチュエータ１１に挿入されていたり、何度もヘッドアクチュエータ１１に挿入されたりしても、固定的に変形してしまうヘッドサスペンション１３が発生する確率は従来例と比較すると低くなり、ヘッドスライダ１３の磁気ディスク（図示せず）からの浮上量が変化してしまう可能性は低い。
【００２５】
つまり、各保持部５２の凸部５３は、挿入位置Ｐ１，Ｐ２において隣接するヘッドサスペンション１３が互いに近づく方向に変形されないような配置を有する。又、挿入位置Ｐ１，Ｐ２に応じて対応する領域に凸部５３を有する保持部５２が異なる。
【実施例２】
【００２６】
図１２は、ヘッドクリップの第２実施例の要部の断面形状を側面方向から見た断面図である。図１２中、図６と同一部分には同一符号を付し、その説明は省略する。
【００２７】
本実施例では、ヘッドクリップ５１−１の少なくとも１つの保持部５２の上面及び下面に凸部５３が設けられている点が上記第１実施例と異なる。本実施例の場合、広げるべきヘッドサスペンション１３をより細かく設定することができる。
【実施例３】
【００２８】
図１３は、ヘッドクリップの第３実施例の要部を側面方向から見た斜視図である。図１３中、図６と同一部分には同一符号を付し、その説明は省略する。
【００２９】
第１実施例のヘッドクリップ５１の保持部５２が有する凸部５３のテーパは、連続的に変化する曲面である。これに対し、本実施例では、ヘッドクリップ５１−２の保持部５２が有する凸部５３のテーパは不連続であり、複数のテーパ面からなる。本実施例の場合、凸部５３の頂点が平面であるため、ヘッドクリップ５１−２がヘッドアクチュエータ１１に対して挿入位置Ｐ１又はＰ２まで挿入されたことを判断しやすい。
【実施例４】
【００３０】
図１４は、ヘッドクリップの第４実施例の要部を側面方向から見た斜視図である。図１４中、図６と同一部分には同一符号を付し、その説明は省略する。
【００３１】
本実施例では、ヘッドクリップ５１−３の少なくとも１つの保持部５２に設けられた凸部５３が、つまみ５５を矢印方向に移動することで移動可能である。本実施例の場合、ヘッドクリップ５１−３の用途、ヘッドアクチュエータ１１の機種や種類等に合わせて、広げるヘッドサスペンション１３を細かく設定することができる。
【実施例５】
【００３２】
図１５は、ヘッドクリップの第５実施例の要部の断面形状を側面方向から見た断面図である。図１５中、図６と同一部分には同一符号を付し、その説明は省略する。
【００３３】
本実施例では、ヘッドクリップ５１−４の少なくとも１つの保持部５２の先端に一対のテーパ部５２Ａ，５２Ｂが設けられている。テーパ部５２Ａ，５２Ｂは、図１５に示すように平面で構成されていても、曲面で構成されていても良い。本実施例の場合、ヘッドクリップ５１−４をヘッドアクチュエータ１１に挿入する際に、ヘッドサスペンション１３を破損したりすることなくスムーズに所望の挿入位置まで挿入することができる。
【実施例６】
【００３４】
図１６は、ヘッドクリップの第６実施例を挿入位置Ｐ３と共に示す側面方向から見た斜視図である。図１６中、図６と同一部分には同一符号を付し、その説明は省略する。
【００３５】
本実施例では、ヘッドクリップ５１−５の各保持部５２の挿入位置Ｐ３に対応する領域５４には、凸部５３が保持部５２の上面にも下面にも設けられていない。つまり、各保持部５２の領域５４は、凸部５３が設けられていない他の領域と同様の平坦部で構成されている。このため、ヘッドクリップ５１−５をヘッドアクチュエータ１１に対して挿入位置Ｐ３まで挿入した状態では、ヘッドクリップ５１−５は図１と共に説明した従来のヘッドクリップ１と同様の機能を有し、各保持部５２は対応する一対の隣接するヘッドサスペンション１３を変形させることなくこれらと接触し、挿入位置Ｐ２又はＰ３まで挿入した状態では、上記第１実施例のヘッドクリップ５１と同様の機能を有し、少なくとも１つの保持部５２は対応する一対の隣接するヘッドサスペンション１３と接触して一方のみを変形させる形状を有する。従って、磁気ディスク装置の組み立て、検査、修理や清掃等の保守時の作業を行う際に従来は二種類のヘッドクリップ１，２１が必要であったところを単一のヘッドクリップ５１−５を用いて行うことができる。
【００３６】
上記各実施例において、ヘッドクリップが有する保持部の数は３つに限定されるものではなく、２以上であれば良く、又、各保持部が上面及び／又は下面に有する凸部の数も特に限定されない。
【００３７】
更に、本発明を適用し得る装置は磁気ディスク装置に限定されるものではなく、４以上の隣接するヘッドサスペンションの各々にヘッドスライダが設けられた構成のヘッドアクチュエータを備えた各種磁気記憶装置に適用可能である。
【００３８】
又、ヘッドクリップは、ヘッドアクチュエータに対して操作者が手動で挿入して挿入位置を制御しても、ロボット等により自動的に挿入して挿入位置を自動的に制御しても良い。後者の場合、ヘッドクリップはロボットの一部を構成するものであっても良い。
【００３９】
上記各実施例において、ヘッドサスペンション１３は、複数枚の記録媒体（磁気ディスク）の表裏二面に対して記録再生する磁気ヘッド（又は、ヘッドスライダ１４）を夫々の先端に備えた複数の支持部材を構成する。保持部５２は、これらの支持部材の磁気ヘッド装着側に夫々挿入する、ヘッドクリップの複数の挿入部を構成する。凸部５３は、挿入部上の少なくとも一つの挿入位置まで挿入部を支持部材に挿入した場合に特定の支持部材間を広げる、ヘッドクリップの支持部材間拡張部を構成する。ヘッドクリップは、この支持部材間拡張部によって広がった支持部材と、支持部材に隣接する支持部材とが接触しないように構成される。
【００４０】
尚、本発明は、以下に付記する発明をも包含するものである。
（付記１）
複数枚の記録媒体の表裏二面に対して記録再生する磁気ヘッドを夫々の先端に備えた複数の支持部材の磁気ヘッド装着側に夫々挿入する複数の挿入部と、
前記挿入部上の少なくとも一つの挿入位置まで前記挿入部を該支持部材に挿入した場合に特定の支持部材間を広げる支持部材間拡張部とを備え、
前記支持部材間拡張部によって広がった該支持部材と、該支持部材に隣接する支持部材とが接触しないことを特徴とするヘッドクリップ。
（付記２）
前記支持部材間拡張部は凸形状であることを特徴とする付記１記載のヘッドクリップ。
（付記３）
前記凸形状は、少なくとも一つの支持部材側に形成されることを特徴とする付記２記載のヘッドクリップ。
（付記４）
前記支持部材間拡張部の中央は平面であることを特徴とする付記１記載のヘッドクリップ。
（付記５）
夫々の該挿入位置において、異なる該支持部材間を広げる複数の前記支持部材間拡張部を有することを特徴とする付記１記載のヘッドクリップ。
（付記６）
アクチュエータアームと、該アクチュエータアームの先端に設けられたヘッドサスペンションと、該ヘッドサスペンションの先端に設けられたヘッドスライダを有するヘッドアクチュエータに対して作業を行う際に該ヘッドアクチュエータに挿入されるヘッドクリップであって、
櫛歯状に設けられた複数の保持部と、
各保持部に設けられた凸部とを備え、
各保持部が隣接するヘッドサスペンション間に第１又は第２の挿入位置まで挿入された状態で、少なくとも１つの保持部と接する一対の隣接するヘッドサスペンションのうち一方のみが一時的に変形されて該隣接するヘッドサスペンション間の距離が広げられることを特徴とする、ヘッドクリップ。
（付記７）
該凸部は、該ヘッドサスペンションと接触する各保持部上面及び下面の少なくとも一方に設けられていることを特徴とする、付記６記載のヘッドクリップ。
（付記８）
該凸部は、少なくとも１つ保持部に複数設けられていることを特徴とする、付記６又は７記載のヘッドクリップ。
（付記９）
該凸部は、連続的又は不連続なテーパを有することを特徴とする、付記６〜８のいずれか１項記載のヘッドクリップ。
（付記１０）
該ヘッドクリップの該ヘッドアクチュエータに対する挿入位置が該第１又は第２の挿入位置であるかに応じて対応する領域に該凸部を有する保持部が異なることを特徴とする、付記６〜８のいずれか１項記載のヘッドクリップ。
（付記１１）
少なくとも１つの保持部は、該凸部を移動可能に設けられていることを特徴とする、付記６〜１０のいずれか１項記載のヘッドクリップ。
（付記１２）
各保持部の先端はテーパ部を有することを特徴とする、付記６〜１１のいずれか１項記載のヘッドクリップ。
（付記１３）
各保持部が隣接するヘッドサスペンション間に第３の挿入位置まで挿入された状態で、各保持部は対応する一対のヘッドサスペンションを変形させることなくこれらと接触する形状を有することを特徴とする、付記６〜１２のいずれか１項記載のヘッドクリップ。
（付記１４）
付記６〜１３のいずれか１項記載のヘッドクリップを該ヘッドアクチュエータに挿入し、
治具を間に挿入するべき一対のヘッドサスペンションに応じた挿入位置まで該ヘッドクリップを該ヘッドアクチュエータに対して挿入し、
該治具を用いて該ヘッドスライダに対する作業を行うことを特徴とする、ヘッドクリップを用いた作業方法。
（付記１５）
該ヘッドクリップの該ヘッドアクチュエータに対する挿入位置は、手動又はロボットにより自動的に制御されることを特徴とする、付記１４記載のヘッドクリップを用いた作業方法。
【００４１】
以上、本発明を実施例により説明したが、本発明は上記実施例に限定されるものではなく、本発明の範囲内で種々の変形及び改良が可能であることは言うまでもない。
【図面の簡単な説明】
【００４２】
【図１】従来のヘッドクリップの一例を示す図である。
【図２】ヘッドアクチュエータを示す平面図である。
【図３】図１に示すヘッドクリップをヘッドアクチュエータに挿入した状態を示す正面図である。
【図４】従来のヘッドクリップの他の例を示す図である。
【図５】図４に示すヘッドクリップをヘッドアクチュエータに挿入した状態を示す正面図である。
【図６】ヘッドクリップの第１実施例を挿入位置Ｐ１と共に示す側面方向から見た斜視図である。
【図７】ヘッドクリップをヘッドアクチュエータの挿入位置Ｐ１まで挿入した状態を示す平面図である。
【図８】ヘッドクリップをヘッドアクチュエータの挿入位置Ｐ１まで挿入した状態を示す正面図である。
【図９】ヘッドクリップの第１実施例を挿入位置Ｐ２と共に示す側面方向から見た斜視図である。
【図１０】ヘッドクリップをヘッドアクチュエータの挿入位置Ｐ２まで挿入した状態を示す平面図である。
【図１１】ヘッドクリップをヘッドアクチュエータの挿入位置Ｐ２まで挿入した状態を示す正面図である。
【図１２】ヘッドクリップの第２実施例の要部の断面形状を側面方向から見た断面図である。
【図１３】ヘッドクリップの第３実施例の要部を側面方向から見た斜視図である。
【図１４】ヘッドクリップの第４実施例の要部を側面方向から見た斜視図である。
【図１５】ヘッドクリップの第５実施例の要部の断面形状を側面方向から見た断面図である。
【図１６】ヘッドクリップの第６実施例を挿入位置Ｐ３と共に示す側面方向から見た斜視図である。
【符号の説明】
【００４３】
１１      ヘッドアクチュエータ
１２      アクチュエータアーム
１３      ヘッドサスペンション
１４      ヘッドスライダ
５１，５１−１〜５１−５      ヘッドクリップ
５２      保持部
５２Ａ，５２Ｂ      テーパ部
５３      凸部
５５      つまみ
【図１】
2008198266.tif 000003
【図２】
2008198266.tif 000004
【図３】
2008198266.tif 000005
【図４】
2008198266.tif 000006
【図５】
2008198266.tif 000007
【図６】
2008198266.tif 000008
【図７】
2008198266.tif 000009
【図８】
2008198266.tif 000010
【図９】
2008198266.tif 000011
【図１０】
2008198266.tif 000012
【図１１】
2008198266.tif 000013
【図１２】
2008198266.tif 000014
【図１３】
2008198266.tif 000015
【図１４】
2008198266.tif 000016
【図１５】
2008198266.tif 000017
【図１６】
2008198266.tif 000018